(57)【特許請求の範囲】
【請求項１】
外部の双方向ＣＡＴＶシステムからの引込線を建造物内に引き込み、該建造物内の伝送線を介して、前記引込線から入力された下り信号を建造物内の複数の端末端子まで伝送すると共に、加入者側の端末装置と前記端末端子との間に設けられたアップコンバータを介して前記端末端子に入力された、前記下り信号よりも周波数が高い棟内上り信号を、前記伝送線を介して前記引込線まで伝送する棟内ＣＡＴＶシステムにおいて、
前記引込線と前記建造物内の伝送線との間に設けられ、前記引込線を介して入力された前記下り信号を前記伝送線側に出力すると共に、前記伝送線を介して入力された前記棟内上り信号を、前記アップコンバータが周波数変換する前の元の上り信号に周波数変換して、前記引込線側に出力するダウンコンバータであって、
前記各信号の入出力用端子として、前記伝送線が接続される第１端子と前記引込線が接続される第２端子とが組み付けられた筐体内に、
前記棟内上り信号を前記上り信号に周波数変換するために、周波数が一定の基準信号を用いて一定周波数に制御された高周波信号を発生する高周波信号発生回路と、
前記第１端子に入力された棟内上り信号を前記高周波信号発生回路が発生した高周波信号を用いて前記上り信号に周波数変換する周波数変換回路と、
前記第２端子より入力された下り信号を前記第１端子まで伝送すると共に、前記第１端子より入力された棟内上り信号を前記周波数変換回路側に伝送し、更に、前記周波数変換回路により周波数変換された前記上り信号を前記第２端子に伝送する前記各信号分離用のフィルタ回路と、
前記フィルタ回路から伝送された棟内上り信号を増幅して前記周波数変換回路に伝送する棟内上り信号増幅回路と、
前記周波数変換回路により変換された前記上り信号を増幅して前記フィルタ回路に伝送する上り信号増幅回路と、
からなる各種機能回路が形成されたプリント配線基板を収納することにより構成され、
しかも、前記第１端子及び第２端子は、前記筐体周囲の外壁面の内、同一の外壁面近傍に配置されるように、該外壁面から突出され、
更に、前記プリント配線基板において、
前記フィルタ回路は、前記プリント配線基板を前記筐体内に収納した際に、前記第１端子及び第２端子が外部に突出された前記筐体の内壁面近傍に位置するように、前記プリント配線基板の一端側に形成され、
前記高周波信号発生回路は、前記プリント配線基板のほぼ中央に形成され、
前記周波数変換回路は、前記高周波信号発生回路を挟んで前記フィルタ回路から離れて位置するように、前記プリント配線基板の他端側に形成され、
前記棟内上り信号増幅回路と前記上り信号増幅回路とは、夫々前記フィルタ回路に隣接して設けられると共に、前記高周波信号発生回路を挟んで位置するように形成され、
しかも、前記プリント配線基板には、前記各回路の境界に沿って、前記各回路で発生した高周波信号が周囲の空間を通って他の回路に侵入するのを防止するためのシールド板が立設されており、
前記各種機能回路に加え、
前記高周波信号発生回路に用いられる前記基準信号を発生する基準信号発生回路と、
前記アップコンバータが前記端末装置から出力された上り信号を前記棟内上り信号に周波数変換する際に用いる高周波信号の周波数を、前記高周波信号発生回路により出力される高周波信号の周波数に一致させるために、前記基準信号を伝送用の信号に変換して前記フィルタ回路を介して前記第１端子から出力する基準信号回路と、
を備え、前記プリント配線基板において、
前記高周波信号発生回路は、前記周波数変換回路に隣接して配置されるように形成され、
前記基準信号回路は、前記フィルタ回路に隣接して配置されるように形成され、
前記基準信号発生回路は、前記基準信号回路と前記高周波信号発生回路との間に挟まれて位置するように形成され、
しかも、前記高周波信号発生回路、前記基準信号発生回路、及び前記基準信号回路の各々の回路の境界に沿って、他の回路からの高周波信号の侵入を防止するためのシールド板が立設されていることを特徴とする棟内ＣＡＴＶシステム用ダウンコンバータ。
【請求項２】
前記第１端子及び第２端子は、前記筐体周囲の外壁面の内、同一の外壁面から同一方向に突出して組み付けられたことを特徴とする請求項１記載の棟内ＣＡＴＶシステム用ダウンコンバータ。
【請求項３】
前記フィルタ回路は、シールド板により、前記第１端子が接続される第１フィルタ回路部と、前記第２端子が接続される第２フィルタ回路部とに分離されて形成されたことを特徴とする請求項１または請求項２に記載の棟内ＣＡＴＶシステム用ダウンコンバータ。
【請求項４】
前記プリント配線基板において、
前記シールド板は、当該プリント配線基板に形成された全ての回路を個々に囲むように立設され、
前記プリント配線基板から立設されたシールド板の開放端側には、該シールド板にて囲まれた各回路を基板上方からシールドするための蓋体が設けられていることを特徴とする請求項１〜請求項３のいずれかに記載の棟内ＣＡＴＶシステム用ダウンコンバータ。
【請求項５】
前記各信号の入出力用端子として設けられる前記各端子は、
前記フィルタ回路の周囲を囲むシールド板の内、筐体の内壁面に沿って前記プリント配線基板の一端に配置されるシールド板に組み付けられ、
前記プリント配線基板を筐体内に収納する際に前記筐体の一壁面に穿設された端子挿通孔に挿通することにより、前記プリント配線基板の前記筐体内への組み付けと同時に前記筐体に組み付けられることを特徴とする請求項４記載の棟内ＣＡＴＶシステム用ダウンコンバータ。
【請求項６】
前記筐体には、前記各信号の入出力用端子として、前記第１端子及び前記第２端子に加え、前記第１端子から入力された下り信号を一旦前記筐体の外部に出力するための第３端子と、該外部に出力された下り信号を再び前記筐体の内部に入力するための第４端子が、前記第１端子及び第２端子と同一のシールド板に組み付けられたことを特徴とする請求項５記載の棟内ＣＡＴＶシステム用ダウンコンバータ。
【請求項７】
前記各機能回路に加え、商用電源から電源供給を受けて直流定電圧を生成し、該生成した直流定電圧を前記各機能回路に供給することにより、該各機能回路を動作させる電源回路を備え、
該電源回路は、前記プリント配線基板とは別体に形成された電源回路基板に形成され、
しかも、該電源回路基板は、前記筐体内において、前記各端子が配設された側とは反対側の空領域に、前記プリント配線基板に隣接して配設されたことを特徴とする請求項１〜請求項６のいずれかに記載の棟内ＣＡＴＶシステム用ダウンコンバータ。
【発明の詳細な説明】
【０００１】
【発明の属する技術分野】
本発明は、外部の双方向ＣＡＴＶシステムの伝送路と建造物内の端末端子とを接続して上り・下りの各信号を双方向に伝送する棟内ＣＡＴＶシステムにおいて、アップコンバータにより周波数変換された棟内上り信号を、アップコンバータが周波数変換する前の元の上り信号に周波数変換するのに使用されるダウンコンバータに関する。
【０００２】
【従来の技術】
従来より、外部の双方向ＣＡＴＶシステムからの引込線を建造物内に引き込み、建造物内の伝送線を介して、引込線から入力された所定周波数帯（例えば７０〜７７０ＭＨｚ）の下り信号（詳しくは双方向ＣＡＴＶシステムのセンタ装置から伝送されてきた信号）を、建造物内の端末端子まで伝送すると共に、加入者側の端末装置から端末端子に入力された上り信号を引込線まで伝送して、引込線から双方向ＣＡＴＶシステムのセンタ装置側に出力させる、棟内ＣＡＴＶシステムが知られている。
【０００３】
また、こうした棟内ＣＡＴＶシステムでは、建造物内の各部で発生した雑音が加入者側の端末端子等を介して伝送線に重畳され、これが流合雑音となって、上り信号と一緒に、外部の双方向ＣＡＴＶシステムに出力されることがある。
そこで、従来では、外部の双方向ＣＡＴＶシステムへ流出する流合雑音を低減するため、ケーブルモデム等の加入者側の端末装置にて生成された上り信号（詳しくは、下り信号よりも周波数が低く、外部の双方向ＣＡＴＶシステムで伝送可能な周波数帯（例えば１０〜５５ＭＨｚ）の信号）を、アップコンバータを用いて、下り信号の伝送周波数（例えば７０〜７７０ＭＨｚ）よりも周波数が高い所定周波数帯（例えば８２１ＭＨｚ〜８６６ＭＨｚの信号）の棟内上り信号に周波数変換して、引込線まで伝送し、棟内の伝送線から引込線へ上り信号を出力する直前で、棟内上り信号を、ダウンコンバータを用いて、元の周波数帯の上り信号に周波数変換することが考えられている。
【０００４】
【発明が解決しようとする課題】
ところで、この種の棟内ＣＡＴＶシステムにおいて、端末装置からの上り信号を棟内上り信号に周波数変換するのに使用されるアップコンバータは、各加入者側の端末端子に接続されることから、棟内ＣＡＴＶシステムの規模が大きく、加入者側端末端子の数が多くなる程、アップコンバータの数も多くなる。
【０００５】
そして、特にこのようにアップコンバータが接続される端末端子が多い大規模な棟内ＣＡＴＶシステムでは、端末装置から出力された上り信号を双方向ＣＡＴＶシステムのセンタ装置側で正常に受信させる必要がある。このためには、外部の双方向ＣＡＴＶシステムとの接続点に設けられるダウンコンバータにより、各アップコンバータにより周波数変換された各々の棟内上り信号をその周波数変換前の元の上り信号に正常に変換することが重要となる。ところが、ダウンコンバータが、自身から漏れ出した上り信号以外の信号成分の影響を受けると、場合によっては、アップコンバータから出力された棟内上り信号を元の上り信号に周波数変換することができなくなってしまうという問題がある。また、この周波数変換が正常に行われたとしても、ダウンコンバータから上記信号成分の影響によりノイズ信号が合成された信号がセンタ装置側に出力されると、センタ側では、このノイズ信号によって、ダウンコンバータから出力された上り信号を正常に受信できなくなってしまうという問題がある。以下、この問題を説明する。
【０００６】
まず、ダウンコンバータは、アップコンバータから出力された棟内上り信号を、アップコンバータが周波数変換する前の元の上り信号に周波数変換するものであるため、ダウンコンバータには、周波数変換用の高周波信号を発生する局部発振回路や、この局部発振回路の発振周波数をアップコンバータ側の局部発振回路と同じ周波数に制御するための発振周波数制御回路（例えばＰＬＬ回路）が設けられる。
【０００７】
また、これらの回路は、ダウンコンバータへの入出力信号（下り信号・棟内上り信号・上り信号）を各信号の周波数帯に応じて分離したり混合するためのフィルタ回路や、局部発振回路からの出力と棟内上り信号とを合成（混合）して棟内上り信号を上り信号に周波数変換する周波数変換回路と共に筐体内に収納される。
【０００８】
このため、外部の双方向ＣＡＴＶシステムのセンタ装置からの引込線が接続する下り信号入力・上り信号出力用の端子（以下第２端子という）には、フィルタ回路を介して周波数変換後の上り信号が入力されるだけでなく、局部発振回路が発生した周波数変換用の高周波信号、発振周波数制御回路が局部発振回路を制御する際に用いる基準信号、その基準信号の高調波成分等、筐体内で発生した各種信号成分が内部空間を通って侵入し、これがノイズ信号として上り信号と共にセンタ装置側に出力されることがある。
【０００９】
このようにノイズ発生源となる各回路（局部発振回路，発振周波数制御回路，等）が常時動作しており、これらの回路が発生した信号成分（特に上り信号と同じ周波数の信号成分）が第２端子に侵入し、これがノイズ信号として第２端子から外部の双方向ＣＡＴＶシステムの引込線に送出されるようになると、当該システムのセンタ装置には、ダウンコンバータから送出されたノイズ信号が合成されて入力されることになる。このため、センタ装置側では、このノイズ信号によって、ダウンコンバータから出力された上り信号を正常に受信できなくなってしまう。
【００１０】
また、ダウンコンバータには、第２端子に入力された下り信号を、上り信号入力・下り信号出力用の端子（以下第１端子という）まで伝送して、第１端子からアップコンバータに接続される端末端子側に出力するための経路も設けられることから、上述した各種ノイズ信号がこの経路に侵入して、下り信号と共に端末端子、アップコンバータを介して端末装置側に出力されることもある。そして、端末装置に出力されるノイズ信号に、センタ装置側の通信装置から伝送されてきたデータ通信用の下り信号と同じ周波数の信号成分が含まれている場合には、端末装置に入力されるデータ通信用の下り信号が劣化して、端末装置がその下り信号を正確に読み取ることができなくなる、といった問題が発生する。
【００１１】
本発明は、こうした問題に鑑みなされたものであり、ダウンコンバータ内で発生した信号成分が、ダウンコンバータから出力される上り信号及び下り信号にノイズ信号として重畳されるのを防止し、棟内ＣＡＴＶシステムでの上り・下りの各信号の伝送品質を向上することを目的とする。
【００１２】
【課題を解決するための手段及び発明の効果】
かかる目的を達成するためになされた請求項１記載の棟内ＣＡＴＶシステム用ダウンコンバータにおいては、外部の双方向ＣＡＴＶシステムのセンタ装置からの引込線から第２端子に入力された下り信号が、フィルタ回路を介して第１端子まで伝送され、第１端子から、端末端子、アップコンバータを介して加入者側の端末装置に出力される。また、この端末装置からアップコンバータ、端末端子を介して第１端子に入力された棟内上り信号は、フィルタ回路及び棟内上り信号増幅回路を介して周波数変換回路まで伝送され、周波数変換回路にて、端末装置が出力してきた元の上り信号に周波数変換された後、上り信号増幅回路及びフィルタ回路を介して第２端子から外部の双方向ＣＡＴＶシステム側に送出されることになる。
【００１３】
上記構成において、フィルタ回路と周波数変換回路との間に棟内上り信号増幅回路を設けたのは以下の理由による。つまり、棟内ＣＡＴＶシステムにおいて、アップコンバータからダウンコンバータに至る伝送線では、信号の伝送損失によって棟内上り信号の信号レベルが低下し、しかも、その伝送線上には、通常、伝送信号の分岐・分配用の各種機器が設けられることから、これらの機器を通過する際に生じる通過損失によっても棟内上り信号の信号レベルが低下する。このように棟内上り信号の信号レベルが低下した状態では、周波数変換回路における周波数変換が正常に行われない場合が生じる。このため、周波数変換回路における周波数変換の際に必要な信号レベルにまで棟内上り信号のレベルを調整するために棟内上り信号増幅回路が形成されているのである。
【００１４】
また、上記構成において、周波数変換回路とフィルタ回路との間に上り信号増幅回路を設けたのは以下の理由による。つまり、周波数変換回路により変換された上り信号の信号レベルが低く、ダウンコンバータからの上り信号の出力レベルが低い場合には、双方向ＣＡＴＶシステムのセンタ装置側で受信する上り信号の信号レベルも小さくなり、場合によっては、センタ装置側でこの上り信号を正常に受信できなくなってしまうことがあるため、当該上り信号を一定の信号レベルにまで引き上げるために上り信号増幅回路が形成されているのである。
【００１５】
またダウンコンバータには、前述した従来装置と同様、周波数変換回路にて棟内上り信号を上り信号に周波数変換するための高周波信号を発生する高周波信号発生回路が設けられている。尚、この高周波信号発生回路は、アップコンバータが上り信号を棟内上り信号に周波数変換する際に用いる高周波信号の周波数と一致した高周波信号を発生するものである。
【００１６】
そして、本発明のダウンコンバータは、生産性を向上するために、上記各種機能回路（即ち、フィルタ回路，周波数変換回路，高周波信号発生回路，棟内上り信号増幅回路，及び上り信号増幅回路等）が一つのプリント配線基板に形成されており、これを、第１端子及び第２端子が組み付けられた筐体内に収納することにより作製される。
【００１７】
ところで、上記各種機能回路が形成されたプリント配線基板を、単に筐体内に収納するようにした場合、筐体のシールド効果によって、外部で発生したノイズがダウンコンバータ内に侵入して、ダウンコンバータが正常に機能しなくなったり、或いは、ダウンコンバータ内で発生した各種信号が外部に漏出して、外部機器の動作に影響を与えるといったことを防止することはできるものの、ダウンコンバータ内の能動回路（つまり高周波信号発生回路等）の動作によって発生した信号成分が、筐体の内部空間を通って、第２端子或いは第１端子に直接侵入し、これら各端子から外部ＣＡＴＶシステムの引込線上、或いは棟内ＣＡＴＶシステムの伝送線上に出力されることがある。
【００１８】
そこで、本発明では、ダウンコンバータへの伝送信号の入出力用端子である第１端子及び第２端子を、筐体周囲の外壁面の内、同一の外壁面近傍に配置されるように、該外壁面から突出されている。そして、筐体内部では、入出力用端子が突出された壁面の近傍にフィルタ回路が配置されるように、フィルタ回路をプリント配線基板の一端側に形成し、ノイズ発生源となる能動回路（高周波信号発生回路等）については、プリント配線基板上のほぼ中央位置に形成している。さらに、周波数変換回路は、高周波信号発生回路を挟んでフィルタ回路から離れて位置するように、プリント配線基板の他端側に形成され、棟内上り信号増幅回路と上り信号増幅回路とは、夫々フィルタ回路に隣接して設けられると共に、高周波信号発生回路を挟んで位置するように形成されている。つまり、能動回路（高周波信号発生回路等）をプリント配線基板のほぼ中央に配置し、その他の回路（即ち、フィルタ回路，周波数変換回路，棟内上り信号増幅回路，及び上り信号増幅回路等）がこの能動回路を周回して配置されるように形成されている。しかも、プリント配線基板には、上記各回路の境界に沿って、各回路で発生した高周波信号が周囲の空間を通って他の回路に侵入するのを防止するためのシールド板を立設させている。
【００１９】
このため、本発明のダウンコンバータによれば、そのシールド効果により能動回路の動作によって発生した高周波信号が筐体の内部空間を通って、フィルタ回路やこれに接続される入出力用端子（第１端子，第２端子）、あるいは両増幅回路に侵入するのを防止することができる。一方、上記のように能動回路（高周波信号発生回路等）をプリント配線基板のほぼ中央に配置し、その他の回路（即ち、フィルタ回路，周波数変換回路，棟内上り信号増幅回路，及び上り信号増幅回路等）がこの能動回路を周回して配置されるように形成されているため、当該その他の回路が接続される経路長を十分にとることができるため回路配置の設計に都合がよい。
【００２０】
従って、本発明によれば、ダウンコンバータがそのノイズ信号によって正常動作しなくなるのを防止するとともに、ダウンコンバータから外部ＣＡＴＶシステムの引込線上に、棟内上り信号を周波数変換した正規の上り信号以外のノイズ信号が送出されるのを防止できる。また、ダウンコンバータから端末端子及びアップコンバータを介して端末装置側にノイズ信号が送出されるのも防止できることから、端末装置がそのノイズ信号によって下り信号を受信・復調できなくなるのも防止できる。
【００２１】
よって、本発明のダウンコンバータを用いて棟内ＣＡＴＶシステムを構築すれば、棟内ＣＡＴＶシステム内での信号の伝送品質を向上することができ、しかも、外部の双方向ＣＡＴＶシステムにダウンコンバータ内で発生したノイズ信号が漏出して、外部システムでの信号の伝送品質を低下させてしまう、といったことも防止できる。
【００２３】
また、外部の双方向ＣＡＴＶシステムとの接続点にダウンコンバータを設けることにより、端末側のアップコンバータで周波数変換された棟内上り信号を元の上り信号に周波数変換して外部の双方向ＣＡＴＶシステムに送出できるように構成された棟内ＣＡＴＶシステムには、アップコンバータとダウンコンバータが周波数変換に用いる高周波信号の周波数を一致させるために、その高周波信号の周波数を制御するのに用いる基準信号を共通の信号にすることが考えられている。
【００２４】
具体的には、アップコンバータ及びダウンコンバータを、双方向ＣＡＴＶシステムにおいて伝送用機器の調整等のために下り信号の一つとしてセンタ装置から出力される一定周波数のパイロット信号を用いて、周波数変換用の高周波信号の周波数を制御するように構成するとか、或いは、ダウンコンバータを、周波数変換用の高周波信号の周波数を制御するのに使用した基準信号を、外部の双方向ＣＡＴＶシステムからの下り信号と共に棟内ＣＡＴＶシステムの伝送線上に送出するように構成し、アップコンバータ側では、ダウンコンバータから伝送されてきた基準信号を用いて、周波数変換用の高周波信号の周波数を制御するようにする、といったことが考えられている。
【００２５】
特に後者の構成を採用する場合には、ダウンコンバータ側に、上記高周波信号発生回路に用いられる基準信号を発生する基準信号発生回路と、アップコンバータが端末装置から出力された上り信号を棟内上り信号に周波数変換する際に用いる高周波信号の周波数を、高周波信号発生回路により出力される高周波信号の周波数に一致させるために、基準信号を伝送用の信号に変換して上記フィルタ回路を介して第１端子から出力する基準信号回路とを設ける必要がある。
【００２６】
このため、請求項１記載のダウンコンバータでは、プリント配線基板に上記各種機能回路に加え、この基準信号発生回路及び基準信号回路を形成している。
そして、合理的な回路配置を構成するために、以下のような回路配置がとられる。すなわち、上記高周波信号発生回路は、周波数変換回路に高周波信号を直接発信するものであるため、この周波数変換回路に隣接して配置されるように形成され、基準信号回路は、伝送用の信号を第１端子から出力するため、この第１端子に近いフィルタ回路に隣接して配置されるように形成される。そして、基準信号発生回路は、高周波信号発生回路と基準信号回路の双方に基準信号を発信するため、高周波信号発生回路と基準信号回路との間に挟まれて位置するように形成される。
【００２７】
そして、これら高周波信号発生回路、基準信号発生回路、基準信号回路の各々の回路の間で互いに信号の干渉を防止するために、これらの回路の境界に沿ってシールド板が立設されている。
尚、配線スペースの合理化或いは配線作業の簡易化の観点からは、上記伝送線及び引込線はダウンコンバータから同方向に引き出されることがより好ましい。そこで、請求項２に記載のダウンコンバータでは、第１端子及び第２端子を、筐体周囲の外壁面の内、同一の外壁面から同一方向に突出させることにより、これら入出力用端子を筐体の一壁面に集中させている。
また、上記第１端子と第２端子には、周波数の異なる下り信号と上り信号が夫々入出力されるため、好ましくは、この端子間で他方の高周波信号の影響をうけない構成とするのがよい。
【００２８】
このためには、請求項３記載のように、上記フィルタ回路を、シールド板により、第１端子が接続される第１フィルタ回路部と、第２端子が接続される第２フィルタ回路部とに分離して形成することが考えられる。
また、このように本発明のダウンコンバータにおいては、プリント配線基板上にシールド板を立設することにより、各回路間を遮蔽しているが、シールド板の高さによっては、上記各能動回路で発生した信号がシールド板を乗り越えてフィルタ回路や入出力用端子に侵入することが考えられる。
【００２９】
そこで、このような問題を解決し、シールド板による各回路間のシールド効果をより高めるには、請求項４に記載のように、プリント配線基板に形成された全ての回路を個々に囲むようにシールド板を立設し、その開放端側に、シールド板にて囲まれた各回路を基板上方からシールドするための蓋体を設けるとよい。
【００３０】
つまり、このようにすれば、上記各能動回路で発生した信号がシールド板を乗り越えて他の回路や入出力用端子に侵入するのを防止することができ、入出力用端子からダウンコンバータ内で発生した信号がノイズ信号として出力されるのをより確実に防止することができる。
【００３１】
また次に、入出力用端子として設けられる第１端子や第２端子は、筐体に直接組み付けるようにしてもよいが、このようにすると、プリント配線基板を筐体内に収納した後、プリント配線基板に形成されたフィルタ回路と各端子とを半田付け等で接続しなければならず、筐体内へのプリント配線基板の組み付け作業が煩雑になる。
【００３２】
そこで、請求項４に記載のように各回路の周囲にシールド板を立設した際には、請求項５記載のように、フィルタ回路の周囲を囲むシールド板の内、筐体の内壁面に沿ってプリント配線基板の一端に配置されるシールド板に、入出力用端子を組み付け、プリント配線基板を筐体内に収納する際には、筐体の一壁面に穿設された端子挿通孔にシールド板に組み付けられた入出力用端子を挿通することにより、入出力用端子が、プリント配線基板の筐体内への組み付けと同時に筐体に組み付けられるようにするとよい。
【００３３】
また、本発明のダウンコンバータにおいて、筐体に直接或いはプリント配線基板を介して間接的に組み付けられる入出力用端子としては、少なくとも上述した第１端子及び第２端子が必要であるが、請求項６に記載のように、これらの端子に加えて、更に、第１端子から入力された下り信号を一旦前記筐体の外部に出力するための第３端子と、該外部に出力された下り信号を再び前記筐体の内部に入力するための第４端子が組み付けられた構成としてもよい。このように構成すれば、この第３端子及び第４端子を介して下り信号を筐体の外部に設置された増幅装置に接続することにより、下り信号を所定の信号レベルに増幅することができる。また、この増幅装置には、例えば建造物の屋上に設置された衛星放送受信用のＢＳアンテナやＣＳアンテナから受信された受信信号を入力することができる。そして、この受信信号を第３端子から一旦出力された下り信号と共に増幅して、再び第４端子からダウンコンバータ内に入力し、さらにこれら下り信号、受信信号と上記基準信号とを混合した上で第１端子から伝送線に出力することができる。このようにすれば、ダウンコンバータを介してＢＳアンテナやＣＳアンテナから受信された受信信号をも加入者の端末装置に伝送することができる。
【００３４】
また、棟内においては、複数のアップコンバータに対して一つのダウンコンバータが設置される。そして、この各アップコンバータ及びダウンコンバータを動作させるためには、通常、５０Ｈｚ又は６０Ｈｚの商用電源（一般に交流１００Ｖ）から電源供給を受けて直流定電圧を生成し、この生成した直流定電圧をこれらの各機能回路に供給することが必要である。
【００３５】
この場合、伝送線上のいずれかの場所に設置された電源からアップコンバータ及びダウンコンバータに電圧を供給するように構成することもできる。しかし、アップコンバータは加入者の数によりその数も増え、一様に電源を供給することができない。このため、各々のアップコンバータには通常個々に電源回路が設けられている。これに対し、ダウンコンバータの方は、複数のアップコンバータに対して一つ設置されればよいため、このダウンコンバータの内部に電源を設ける必要は必ずしもない。つまり、ダウンコンバータに対しては、伝送線上のどこかに接続された電源から電圧を供給するように構成することができる。
【００３６】
しかし、棟内ＣＡＴＶシステムが小規模であるような場合には、伝送線上に電源を別個に設置するよりもダウンコンバータ自体に組み込んだ方がスペース等の関係上好ましい場合がある。
このため、請求項７に記載のダウンコンバータには、上記各機能回路に加え、商用電源から電源供給を受けて直流定電圧を生成し、該生成した直流定電圧を前記各機能回路に供給することにより、該各機能回路を動作させる電源回路を設けられている。具体的には、この電源回路を、上記各種機能回路が形成されたプリント配線基板とは別体に形成された電源回路基板に形成し、この電源回路基板を筐体内の上記各端子が配設された側とは反対側の空領域に、プリント配線基板に隣接して配設することが考えられる。この場合、電源回路は、上記高周波信号発生回路と同様能動回路であり、直流定電圧を生成する際に発生するスイッチングノイズ、そのスイッチングノイズの高調波成分等を発生させることになるが、上記のように、プリント配線基板側はシールド板及び蓋体によるシールド効果が発揮されるため、このプリント配線基板に形成された各種機能回路が電源回路からの高周波の影響を受けることはない。
【００３７】
【発明の実施の形態】
以下に本発明の実施例を図面と共に説明する。
図１は、本発明が適用された実施例の棟内ＣＡＴＶシステム全体の構成を表す構成図である。
【００３８】
図１に示す如く、本実施例の棟内ＣＡＴＶシステムは、外部の双方向ＣＡＴＶシステムの伝送線（ＣＡＴＶ伝送線）２から分岐装置４を介して分岐された引込線６を、保安器８を介して、マンション，アパート等の建造物内に引き込み、その建造物内に配線された同軸ケーブルからなる伝送線Ｌ、及び、この伝送線Ｌに設けられた分岐器１２，分配器１４等を介して、引込線６から入力された双方向ＣＡＴＶシステムの下り信号（周波数：７０ＭＨｚ〜７７０ＭＨｚ）を、建造物内の各加入者宅に設置された直列ユニット等からなる複数の端末端子１６まで伝送すると共に、加入者側の各種端末装置から後述のアップコンバータ２０を介して端末端子１６に入力された棟内上り信号を、引込線６まで伝送するものである。
【００３９】
そして、本実施例の棟内ＣＡＴＶシステムでは、加入者側で、外部の双方向ＣＡＴＶシステムのセンタ装置を介してインターネットを楽しむ場合や、センタ装置に対して有料番組の視聴予約やテレビショッピング等のためのデータを送信する際には、その加入者側の端末端子１６に、アップコンバータ２０及びケーブルモデム２２を介して、データ通信用の情報端末装置（パーソナルコンピュータ等）２４を接続する。
【００４０】
この結果、情報端末装置２４から出力されたデータ通信用の送信データは、ケーブルモデム２２にて、外部の双方向ＣＡＴＶシステムで伝送可能な所定周波数帯（本実施例では、１０ＭＨｚ〜５５ＭＨｚ）の上り信号に変換され、更に、この上り信号は、アップコンバータ２０にて、所定周波数帯（本実施例では、８２１ＭＨｚ〜８６６ＭＨｚ）の棟内上り信号に周波数変換されて、端末端子１６に入力される。
【００４１】
このため、棟内ＣＡＴＶシステムの伝送線Ｌと、外部の双方向ＣＡＴＶシステムからの引込線６との接続部分には、各端末端子１６から伝送線Ｌを介して伝送されてきた棟内上り信号を、外部の双方向ＣＡＴＶシステムで伝送可能な元の上り信号に周波数変換するためのダウンコンバータ１０が設けられている。
【００４２】
このダウンコンバータ１０には、その所定の端子間に接続された増幅装置３０を介して、建造物の屋上に設置された衛星放送受信用のＢＳアンテナ２８からの受信信号（周波数：１０３５ＭＨｚ〜１３３５ＭＨｚ帯であり、以下、ＢＳ−ＩＦ信号という）も入力され、ダウンコンバータ１０から伝送線Ｌ上には、外部の双方向ＣＡＴＶシステムからの下り信号に加えて、ＢＳアンテナ２８から出力されたＢＳ−ＩＦ信号も送出される。
【００４３】
尚、図１において、符号２６は、アップコンバータ２０が接続されない端末端子１６に接続され、伝送線Ｌを介して伝送されてきた外部の双方向ＣＡＴＶシステムからの下り信号やＢＳアンテナ２８からのＢＳ−ＩＦ信号を受信して、所望チャンネルのテレビ放送を復調・再生するテレビ受像機を表す。
【００４４】
次に、本実施例の棟内ＣＡＴＶシステムで用いられるダウンコンバータ１０の構成を説明する。
図２はダウンコンバータ１０を夫々正面，上面，底面，及び側面から見た状態を表す外観図（４面図）であり、図３はその分解斜視図である。
【００４５】
本実施例のダウンコンバータ１０は、後述の各種回路が組み付けられたプリント配線基板５０と、これら各種回路に所定の電圧を供給する電源回路が組み付けられた電源回路基板７０とを、矩形の筐体内に収納して構成される。そして、その筐体は正面から見て縦長形状であり、その奥行きは、縦方向の長さよりも短くなっている。また、筐体の下面には、左から順に、外部の双方向ＣＡＴＶシステムからの引込線を接続するための第２端子Ｔ２、第２端子Ｔ２から出力される上り信号の信号レベルを測定するための測定用端子Ｔｏ、第２端子Ｔ２に入力された下り信号を外部に設置された増幅装置３０に入力するために、当該下り信号を一旦筐体外部に出力する第３端子Ｔ３、増幅装置３０を通過した下り信号やＢＳ−ＩＦ信号を筐体内部に入力するための第４端子Ｔ４、ＣＡＴＶシステムからの下り信号やＢＳアンテナからのＢＳ−ＩＦ信号の出力レベルを測定する測定用端子Ｔｉ、及び、上り信号を出力してくる端末端子１６に同軸ケーブルを介して接続するための第１端子Ｔ１が突設されている。
【００４６】
尚、これら各端子Ｔ１〜Ｔ４、Ｔｏ、及びＴｉには、同軸ケーブルをＦ型プラグを介して簡単に接続できるように、Ｆ型接栓が用いられている。また、筐体上面からは、先端に電源プラグ３３が設けられた電源コード３４が引き出されている。
【００４７】
また、ダウンコンバータ１０の筐体の上面には、内部回路の動作によって発生した熱を外部に放出するために多数の放熱孔３５が穿設されており、筐体の正面には、後述の信号レベル調整用の各スイッチを外部から操作するための４個の操作孔３６ａ，３６ｂ，３６ｃ，３６ｄが穿設されている。また、筐体は壁掛け式になっており、筐体の背面には、図示しない棟内の壁面に設けられた突出部に引っかけるための鈎状引っかけ部３７が突設されており、背面下端部からは、筐体を壁面に対して固定するためにネジ止め接合される突出片３８が延出している。
【００４８】
次に、図３に示すように、ダウンコンバータ１０は、上記筐体の上面、背面及び底面を形成する第１ケース４１と、筐体の正面及び両側面を形成する第２ケース４２と、この筐体内部に収納されるプリント配線基板５０及び電源回路基板７０とから構成されている。
【００４９】
第１ケース４１は、筐体の背面を形成する長方形状の背板部４１ａと、背板部４１ａの上端縁から直角に延出し、筐体の上面を形成する上板部４１ｂと、背板部４１ａの下端縁から直角に延出し、筐体の底面を形成する底板部４１ｃとから構成される。また、背板部４１ａの両側端縁からは第１フランジ部４１ｄが直角に延出しており、この第１フランジ部４１ｄの先端には、部分的に、筐体内側に段差をもって第１フランジ部４１ｄに平行に延出した第２フランジ部４１ｅが設けられている。また、背板部４１ａの上部には、電源回路基板７０を支持・固定するための支持板７１が突設されている。そして、上板部４１ｂには電源コード３４を引き出すための孔（図示せず）及び上述の放熱孔３５が、底板部４１ｃには上述の各端子Ｔ１〜Ｔ４，Ｔｏ，及びＴｉを挿通するための６つの端子挿通孔３９が、第１フランジ部４１ｄには第２ケース４２を外側に固定するためのネジが挿通される複数のネジ挿通孔３２ａが、さらに、第２フランジ部４１ｅにはプリント配線基板５０を内側に固定するためのネジが挿通される複数のネジ挿通孔３２ｂが、夫々穿設されている。
【００５０】
また、第２ケース４２は、筐体の正面を形成する長方形状の前板部４２ａと、その両側端縁から直角に延出し、筐体の両側面を形成する両側板部４２ｂ，４２ｂから構成されている。そして、前板部４２ａには上述の操作孔３６ａ，３６ｂ，３６ｃ，３６ｄ、及び、電源回路の起動を確認するための後述のパワーランプを露出させるための透孔３１が、側板部４２ｂには第１フランジ部に固定するためのネジを挿通するための複数の挿通孔４３ａが、夫々穿設されている。
【００５１】
尚、これら第１ケース４１及び第２ケース４２は、夫々、導電性の金属板をプレス加工することにより形成されている。
プリント配線基板５０は、合成樹脂からなる絶縁基板の表裏面に導電層を形成した両面基板からなり、各導電層に回路パターンを形成し、更に、その片面又は両面に各種電子部品を実装することにより構成されている。
【００５２】
また、各種電子部品が実装された表面側には、プリント配線基板５０に形成される各回路毎にその周囲を囲み、各回路で発生した高周波信号が周囲の空間を通って他の回路に漏洩することを防止するシールド板４５が設けられている。また、このシールド板４５は、プリント配線基板５０の４方の端縁をも包囲する態様で組み付けられており、その側面の所定位置には、上記複数のネジ挿通孔３２ａに挿通されたネジを螺合させるための複数の雌ねじ部４５ａが設けられている。更に、そのシールド板４５の開放端側（プリント配線基板５０の表面側）には、シールド板４５にて囲まれた各回路を基板上方からシールドするための蓋体４６が設けられている。そして、蓋体４６には上述の操作孔３６ａ，３６ｂ，３６ｃ，３６ｄに対応する位置に、透孔４６ａ，４６ｂ，４６ｃ，４６ｄが穿設されている。
【００５３】
尚、シールド板４５及び蓋体４６は、導電性の金属板をプレス加工することにより形成されている。
また、電源回路基板７０は、ダウンコンバータ１０の上部、つまり、筐体内においてプリント配線基板５０に設けられた各入出力端子とは反対側の空領域に、プリント配線基板５０に隣接して設けられている。この電源回路基板７０上には、スイッチングレギュレータからなる後述する電源回路７５が設けられており、電源コード３４を介して外部の商用電源から交流電源（ＡＣ１００Ｖ）を取り込み、内部回路駆動用の直流定電圧（例えばＤＣ５Ｖ）を生成し、これを上記各種機能回路に供給することにより、これら各回路を動作させる。また、電源回路基板７０上には、電源回路７５の起動を確認するためのパワーランプＰＬが設けられている。
【００５４】
次に、プリント配線基板５０に形成され、シールド板４５にて分離される各回路の構成及びその配置を、図４を用いて説明する。
図４に示すように、プリント配線基板５０には、下記▲１▼〜▲７▼の機能回路が形成されている。
▲１▼棟内上り信号を上り信号に周波数変換するために、周波数が一定の基準信号を用いて一定周波数に制御された高周波信号を発生する高周波信号発生回路５１。
▲２▼高周波信号発生回路５１に用いられる基準信号を発生する基準信号発生回路５２。
▲３▼アップコンバータ２０が端末装置から出力された上り信号を棟内上り信号に周波数変換する際に用いる高周波信号の周波数を、高周波信号発生回路５１により出力される上記高周波信号の周波数に一致させるために、上記基準信号を伝送用の信号に変換してアップコンバータ２０側に出力する基準信号回路５３。
▲４▼第１端子Ｔ１に入力された棟内上り信号と、高周波信号発生回路５１が発生した高周波信号とを混合することにより、棟内上り信号を上り信号に周波数変換する周波数変換回路（所謂ミキサ）５４。
▲５▼第２端子Ｔ２に入力された下り信号を第１端子Ｔ１まで伝送すると共に、第１端子Ｔ１に入力された棟内上り信号を周波数変換回路５４側に伝送し、更に、周波数変換回路５４により周波数変換された上り信号を第２端子Ｔ２に伝送する各信号分離用のフィルタ回路５５。なお、当該フィルタ回路５５は、シールド板４５により、第１端子Ｔ１、測定用端子Ｔｉ及び第４端子Ｔ４が接続される第１フィルタ回路部５６と、第２端子Ｔ２、測定用端子Ｔｏ及び第３端子Ｔ３が接続される第２フィルタ回路部５７とに分離されて形成されている。
▲６▼フィルタ回路５５の第１フィルタ回路部５６から伝送された棟内上り信号を増幅して周波数変換回路５４に伝送する棟内上り信号増幅回路５８。
▲７▼周波数変換回路５４により変換された上り信号を所定レベルまで更に増幅してフィルタ回路５５の第２フィルタ回路部５７に伝送する上り信号増幅回路５９。
【００５５】
ここで、上記機能回路の内、フィルタ回路５５は、プリント配線基板５０を第１ケース４１に組み付けた際に、第１ケース４１の底板部４１ｃ付近に配置されるように（つまり、各入出力用端子が突出された壁面の近傍に配置されるように）、プリント配線基板５０の一端側に集中して形成されている。また、ノイズ発生源となる高周波信号発生回路５１、基準信号発生回路５２、及び基準信号回路５３等の能動回路は、プリント配線基板５０上のほぼ中央位置に形成されている。さらに、周波数変換回路５４は、これら能動回路を挟んでフィルタ回路５５から離れて位置するように、プリント配線基板５０の他端側に形成されている。また、棟内上り信号増幅回路５８と上り信号増幅回路５９とは、夫々フィルタ回路５５に隣接して設けられると共に、上記能動回路を挟んで位置するように形成されている。
【００５６】
また、上記高周波信号発生回路５１は、周波数変換回路５４に高周波信号を直接出力するものであるため、この周波数変換回路５４に隣接して配置されるように形成され、基準信号回路５３は、伝送用の信号を第１端子Ｔ１から出力するため、この第１端子Ｔ１に近いフィルタ回路５５に隣接して配置されるように形成される。そして、基準信号発生回路５２は、高周波信号発生回路５１及び基準信号回路５３の双方に基準信号を出力するため、これら高周波信号発生回路５１と基準信号回路５３との間に挟まれて位置するように形成される。
【００５７】
すなわち、プリント配線基板５０上には、能動回路（高周波信号発生回路５１、基準信号発生回路５２、及び基準信号回路５３）がそのほぼ中央に配置され、その他の回路（即ち、フィルタ回路５５，棟内上り信号増幅回路５８，周波数変換回路５４，及び上り信号増幅回路５９）がこの能動回路を周回して配置されている。
【００５８】
そして、プリント配線基板５０上には、前述したシールド板４５が、上記各回路で発生した不要な高周波信号が他の回路に侵入するのを防止できるように、上記各回路５１〜５５，５８，５９の形成領域を夫々囲むように立設されている。また、本実施例において、電源回路７５は、上述のように、プリント配線基板５０の各入出力端子から最も離れた位置（フィルタ回路５５から最も離れた位置）に配置されている。この電源回路７５も高周波を発生させる能動回路であるが、プリント配線基板５０側とはプリント配線基板５０に立設されたシールド板４５及び蓋体４６により互いにシールドされている。
【００５９】
また、フィルタ回路５５の周囲に立設されたシールド板４５の内、プリント配線基板５０を第１ケース４１に組み付けた際に、第１ケース４１の下端の底板部４１ｃに対向するシールド板４５には、上記各端子Ｔ１〜Ｔ４，Ｔｏ，及びＴｉを構成する接栓が６つの接栓取付孔を介してシールド板４５に直接固定されている。従って、プリント配線基板５０を第１ケース４１に組み付ける際には、シールド板４５に固定された各端子Ｔ１〜Ｔ４，Ｔｏ，及びＴｉを、夫々、第１ケース４１の底板部４１ｃに穿設された６個の端子挿通孔３９に挿通するだけで、各端子Ｔ１〜Ｔ４，Ｔｏ，及びＴｉを筐体の下端から外部に突出させることができる。
【００６０】
次に、上記各機能回路の動作について詳細に説明する。
第２端子Ｔ２を介して第２フィルタ回路部５７に入力された下り信号は、分岐回路５７ｃ、ハイパスフィルタ（以下、「ＨＰＦ」と記載する）５７ａを通過した後、第３端子Ｔ３から筐体外部に一旦出力され、外部の増幅装置３０に入力される。ここで、ＨＰＦ５７ａは、下り信号を通過させ、周波数変換後の上り信号の通過を阻止するためのものであり、カットオフ周波数が例えば７０ＭＨｚに設定されている。また、本実施例ではこの外部の増幅装置３０に上述のＢＳ−ＩＦ信号もが入力され、第３端子Ｔ３から出力された下り信号とともにぞれぞれ所定レベルにまで増幅され、第４端子Ｔ４から第１フィルタ回路部５６に形成された混合回路５６ａに入力される。
【００６１】
そして、これらの信号は、所謂方向性結合器にて構成されたこの混合回路５６ａにて、基準信号回路５３から出力された後述する伝送用の基準信号と混合され（以下、これらの信号をまとめて「混合信号」ともいう）、バンド阻止フィルタ（以下、「ＢＥＦ」と記載する）５６ｂ、分岐回路５６ｄ及び第１端子Ｔ１を介して、端末側の伝送線Ｌ上に送出される。
【００６２】
ここで、ＢＥＦ５６ｂは、上記混合信号を通過させ、伝送線Ｌを介して第１端子Ｔ１に入力された棟内上り信号の通過を阻止するためのものであり、信号通過阻止帯域が例えば８２１〜８６６ＭＨｚに設定されている。
次に、第１端子Ｔ１を介して第１フィルタ回路部５６に入力された端末側からの棟内上り信号は、ＢＰＦ５６ｃを介して、棟内上り信号増幅回路５８に出力される。ここで、ＢＰＦ５６ｃは、ＢＥＦ５６ｂから出力される混合信号の回り込みを防止し、棟内上り信号のみを選択的に取り込むためのものであり、信号通過帯域が棟内上り信号の伝送周波数（８２１ＭＨｚ〜８６６ＭＨｚ）に設定されている。
【００６３】
この棟内上り信号増幅回路５８に入力された棟内上り信号は、信号レベル調整用の減衰器（所謂アッテネータであり、以下「ＡＴＴ」と記載する）５８ａを介することにより、一旦信号レベルが所定レベルにまで減衰された後、増幅器５８ｂ、５８ｃを介して所定レベルまで増幅される。そして、ＢＰＦ５８ｄに入力された後、更に信号レベル調整用のゲインコントローラ（以下、「ＧＣ」と記載する）５８ｅを介して所定のレベルに調整され、ＬＰＦ５８ｆを介して周波数変換回路５４に入力される。
【００６４】
尚、ＢＰＦ５８ｄは、棟内上り信号のみを通過させるものであり、信号通過帯域が棟内上り信号の伝送周波数（８２１ＭＨｚ〜８６６ＭＨｚ）に設定されている。また、ＬＰＦ５８ｆは、棟内上り信号増幅回路５８内で棟内上り信号に重畳された高周波信号を除去するものであり、そのカットオフ周波数は、例えば８６６ＭＨｚに設定されている。
【００６５】
一方、高周波信号発生回路５１では、ＰＬＬ回路５１ａが、周波数可変型の局部発振回路５１ｂの発振周波数を一定（本実施例では、棟内上り信号よりも周波数が低い８１１ＭＨｚ）に制御しており、このように制御された高周波信号が増幅回路５１ｃを介して周波数変換回路５４に出力される。そして、周波数変換回路５４では、この高周波信号と棟内上り信号とを混合することにより、棟内上り信号を、アップコンバータ２０が周波数変換する前の元の上り信号に周波数変換する。
【００６６】
ここで、ＰＬＬ回路５１ａは、局部発振回路５１ｂから出力される周波数変換用の高周波信号と後述の基準信号とを夫々分周して取り込み、その分周後の各信号の位相差が零となるように局部発振回路５１ｂの発振周波数を制御することにより、ダウンコンバータ１０内での周波数変換用の高周波信号を基準信号に対応した一定周波数（８１１ＭＨｚ）に制御している。
【００６７】
そして、本実施例では、このＰＬＬ回路５１ａが局部発振回路５１ｂの発振周波数を制御するのに用いる基準信号を、ダウンコンバータ１０内の基準信号発生回路５２にて生成するようにされている。この基準信号発生回路５２は、基準信号を発生する局部発信回路５２ａと、ＰＬＬ回路５１ａが制御する局部発振回路５１ｂの発振周波数（具体的には、ＰＬＬ回路５１ａ内の分周回路の分周比）を設定するためのマイクロコンピュータ（以下、単にＣＰＵという）５２ｂとから構成されている。
【００６８】
また、基準信号発生回路５２の発振周波数は、下り信号よりも低い周波数に設定されており、この基準信号発生回路５２から出力された、下り信号よりも低周波の基準信号は、上記のようにＰＬＬ回路５１ａに入力されるだけでなく、基準信号回路５３に設けられたＰＬＬ回路５３ａにも入力される。
【００６９】
基準信号回路５３は、この基準信号発生回路５２から入力された基準信号を、ＰＬＬ回路５３ａ、局部発振回路５３ｂ及び増幅回路５３ｃにて伝送用の基準信号に調整し、この伝送用の基準信号を上記混合回路５６ａ、ＢＥＦ５６ｂ、分岐回路５６ｄ及び第１端子Ｔ１を介して伝送線Ｌ上に送出する。
【００７０】
このように第１端子Ｔ１から伝送線Ｌ上に基準信号を送出するのは、端末側の各アップコンバータ２０にこの基準信号を伝送して、各アップコンバータ２０側でも、ダウンコンバータ１０と同じ基準信号を用いて、周波数変換用の高周波信号を生成できるようにするためである。つまり、本実施例では、ダウンコンバータ１０から端末側の各アップコンバータ２０に基準信号を送信することにより、各アップコンバータ２０が周波数変換に用いる高周波信号の周波数を、ダウンコンバータ１０が周波数変換に用いる高周波信号と一致させるのである。
【００７１】
次に、周波数変換回路５４にて周波数変換された上り信号は、上り信号増幅回路５９に入力される。この上り信号増幅回路５９に入力された上り信号は、ＧＣ５９ａを介して所定のレベルに調整された後、上り信号を選択的に通過させるために信号通過帯域が上り信号の伝送周波数（１０ＭＨｚ〜５５ＭＨｚ）に設定されたＢＰＦ５９ｂを通過し、さらに増幅器５９ｃ、５９ｄを介して所定レベルまで増幅された後、ＡＴＴ５９ｅにて信号レベルを調整され、第２フィルタ回路部５７に伝送される。そして、第２フィルタ回路部５７に設けられたＬＰＦ５７ｂ、分岐回路５７ｃ及び第２端子Ｔ２を介して引込線６側に送出される。尚、ＬＰＦ５７ｂは、第２端子Ｔ２に入力された下り信号の通過を阻止し、周波数変換後の上り信号のみを通過させるためのものであり、そのカットオフ周波数は、例えば５５ＭＨｚに設定されている。
【００７２】
尚、上記各ＡＴＴ５８ａ、ＧＣ５８ｅ、ＧＣ５９ａ、及びＡＴＴ５９ｅの減衰量又は利得を切り換えるための前述したレベル調整用のスイッチ（図示せず）は、夫々、プリント配線基板５０上の所定位置に配設されている。そして、これらのスイッチは、プリント配線基板５０を第１ケース４１に組み付け、更に第１ケース４１に第２ケース４２を組み付けた際に、第１ケース４１に穿設された前述の操作孔３６ａ，３６ｂ，３６ｃ，３６ｄ及び透孔４６ａ，４６ｂ，４６ｃ，４６ｄを介して外部から操作できるようになっている。
【００７３】
以上説明したように、本実施例のダウンコンバータ１０においては、ダウンコンバータ１０に対して信号を入出力するための端子Ｔ１〜Ｔ４，Ｔｏ，及びＴｉが、全て、筐体の下端側に集中配置されており、しかも、各端子Ｔ１〜Ｔ４，Ｔｏ，及びＴｉには、Ｆ型接栓が使用されている。このため、ダウンコンバータ１０を棟内ＣＡＴＶシステムの端末端子１６に接続したり、センタ装置に接続される引込線６に接続する際の作業性を向上できる。
【００７４】
また、ダウンコンバータ１０内では、ダウンコンバータ１０を構成する各種機能回路が全て、共通のプリント配線基板５０上に形成され、しかも、上記各端子Ｔ１〜Ｔ４，Ｔｏ，及びＴｉは、全て、このプリント配線基板５０に立設されたシールド板４５に固定されていることから、筐体内への各機能回路の収納は、プリント配線基板５０を、筐体を構成する第１ケース４１に組み付けるだけで簡単に行うことができ、各機能回路を別体で構成したり、各端子Ｔ１〜Ｔ４，Ｔｏ，及びＴｉを筐体に組み付けるようにした場合に比べて、ダウンコンバータ１０組立時の作業性も向上できる。
【００７５】
また、プリント配線基板５０上に形成される各種機能回路、つまり、高周波信号発生回路５１、基準信号発生回路５２、基準信号回路５３、フィルタ回路５５，棟内上り信号増幅回路５８，周波数変換回路５４，及び上り信号増幅回路５９の周囲には、シールド板４５が立設されており、しかも、高周波ノイズの発生源となる高周波信号発生回路５１、基準信号発生回路５２、基準信号回路５３、及び電源回路基板７０に設けられた電源回路７５は、各端子Ｔ１〜Ｔ４，Ｔｏ，及びＴｉに接続されるフィルタ回路５５から離れた位置に配置されている。このため、これら高周波信号発生回路５１、基準信号発生回路５２、基準信号回路５３、及び電源回路７５によって発生した不要な高周波信号が、周囲の空間を伝わって、フィルタ回路５５や端子Ｔ１〜Ｔ４，Ｔｏ，及びＴｉに侵入するのを防止できる。特に、本実施例では、シールド板４５の開放端側には、シールド用の蓋体４６が設けられるので、フィルタ回路５５や端子Ｔ１〜Ｔ４，Ｔｏ，及びＴｉに高周波ノイズが侵入するのをより確実に防止できる。
【００７６】
よって、本実施例のダウンコンバータ１０によれば、ダウンコンバータ１０から棟内ＣＡＴＶシステムの伝送線Ｌ上にノイズ信号が送出されたり、或いは、ダウンコンバータ１０からセンタ装置側に接続する引込線６にノイズ信号が送出されるのを防止することができ、棟内ＣＡＴＶシステムでの信号の伝送品質を向上することができる。
【００７７】
以上、本発明の一実施例について説明したが、本発明の実施の形態は上記実施例に限定されるものではなく、種々の態様を採ることができる。
例えば、上記実施例においては、電源回路基板７０とプリント配線基板５０とを別体として説明したが、これらを一体に構成してもよい。
【図面の簡単な説明】
【図１】  実施例の棟内ＣＡＴＶシステムの構成を表す構成図である。
【図２】  ダウンコンバータの構成を表す外観図である。
【図３】  ダウンコンバータの構成を表す分解斜視図である。
【図４】  ダウンコンバータの回路構成を表すブロック図である。
【符号の説明】
６・・・引込線、  １０・・・ダウンコンバータ、１６・・・端末端子、
２０・・・アップコンバータ、  ２４・・・情報端末装置、
２８・・・ＢＳアンテナ、  ３０・・・増幅装置、
４１・・・第１ケース、  ４２・・・第２ケース、
４５・・・シールド板、  ４６・・・蓋体、  ５０・・・プリント配線基板、  ５１・・・高周波信号発生回路、５２・・・基準信号発生回路、
５３・・・基準信号回路、  ５４・・・周波数変換回路、
５５・・・フィルタ回路、  ５６・・・第１フィルタ回路部、
５７・・・第２フィルタ回路部、  ５８・・・棟内上り信号増幅回路、
５９・・・上り信号増幅回路、  ７０・・・電源回路基板、
７５・・・電源回路、  Ｌ・・・伝送線、
Ｔ１・・・第１端子、  Ｔ２・・・第２端子、  Ｔ３・・・第３端子、
Ｔ４・・・第４端子、  Ｔｉ・・・入力測定用端子、
Ｔｏ・・・出力測定用端子
【図１】
0004454752.tif 000002
【図２】
0004454752.tif 000003
【図３】
0004454752.tif 000004
【図４】
0004454752.tif 000005